(57)【要約】【課題】  映像データと音声データからなる主情報と、該主情報の補助データを含む補助情報とを処理する際に、映像データのビットレート情報を容易に確認可能とする。【解決手段】  映像データと音声データからなる主情報を再生するＤＶＤ再生装置１００は、主情報の補助データを含む補助情報が記録されているナビゲーションパック内の主情報のデータ量情報を基に映像データのビットレートを求める映像ビットレート算出回路１５と、映像ビットレート算出回路１５で求められた映像データのビットレートを表示制御する表示制御回路１６と、ＮＴＳＣ変換回路９から出力される映像に対して表示制御回路１６から出力される表示制御されたビットレートの表示を合成するためのＯＳＤ回路１４と、ＯＳＤ回路１４で合成処理等された映像を映すモニタ１７とを備える。【選択図】  図１
2006238463.tif 000002
【特許請求の範囲】
【請求項１】
映像データと音声データからなる主情報と、該主情報の補助データを含む補助情報とを処理する信号処理装置において、
上記映像ビットレートの表示を制御する表示制御手段を備えることを特徴とする信号処理装置。
【請求項２】
上記主情報及び上記補助情報を含む全体のビットレートから上記音声データのビットレートを減算したものを上記映像データのビットレートとして算出する算出手段をさらに備えることを特徴とする請求項１記載の信号処理装置。
【請求項３】
上記全体のビットレートの算出は、少なくとも所定の再生単位の再生時間と所定の再生単位のデータ量とから算出することを特徴とする請求項２記載の信号処理装置。
【請求項４】
上記音声データのビットレートの算出は、上記所定の再生単位において再生可能な音声データストリームの本数と該音声データストリームの種類を求めることにより算出することを特徴とする請求項３に記載の信号処理装置。
【請求項５】
上記全体のビットレート及び上記音声データのビットレートは、上記補助情報を基に算出することを特徴とする請求項２記載の信号処理装置。
【請求項６】
映像データと音声データからなる主情報と、該主情報の補助データを含む補助情報とを処理する信号処理方法において、
上記映像ビットレートの表示を制御する表示制御ステップを備えることを特徴とする信号処理方法。
【請求項７】
映像データと音声データからなる主情報と、該主情報の補助データを含む補助情報とを制御手段により処理する信号処理プログラムにおいて、
上記映像ビットレートの表示を制御する表示制御ステップを備えることを特徴とする信号処理プログラム。
【請求項８】
映像データと音声データからなる主情報と、該主情報の補助データを含む補助情報とを制御手段により処理する信号処理プログラムを格納した記録媒体において、
上記信号処理プログラムは、上記映像ビットレートの表示を制御する表示制御ステップを備えることを特徴とする記録媒体。
【発明の詳細な説明】
【技術分野】
【０００１】
本発明は、圧縮された映像データ、例えばＭＰＥＧ２（Moving Picture Experts Group 2）の方式を用いて圧縮された映像データ、が記録されている信号記録媒体を再生する信号処理装置及び方法、信号処理プログラム、並びに記録媒体に関し、詳しくは、圧縮された映像データのビットレートを求める信号処理装置及び方法、信号処理プログラム、並びに記録媒体に関する。
【背景技術】
【０００２】
多くの情報量を送信又は記録するためにデータの圧縮が行われる。例えば、信号記録媒体には、データを圧縮して記録されているものがある。例えば、デジタルビデオディスク（以下、ＤＶＤと称する。）は、映像データ等が圧縮されて記録された信号記録媒体として知られている。ＤＶＤは、信号圧縮の方式としてＭＰＥＧ２（Moving Picture Experts Group 2）を採用している。
【０００３】
上記ＤＶＤを再生する信号再生装置であるディスク再生装置には、信号圧縮された映像データ等を伸長するデコーダが備えられている。ディスク再生装置は、ピックアップ等により再生したデータを上記デコーダで伸長して、動画像等をモニタに表示する。
【０００４】
例えば、上述したＭＰＥＧ２では、データのビットレートを可変して圧縮するＶＢＲ（Variable Bit Rate，可変速度）をサポートしており、データの圧縮量を可変にすることができる。そのため、ＭＰＥＧ２の方式を採用しているＤＶＤは、映像データ等のビットレートが可変して記録されている。すなわち、ＤＶＤは、映像デー等の圧縮量が異って記録されている。
【０００５】
なお、ＤＶＤには、上記圧縮さえた映像データの他に圧縮された音声データ及び副映像データが主情報として記録されている。そして、ＤＶＤには、上記映像データ、音声データ及び副映像データに関する補助データ、例えば音声データの種類等、が補助情報として記録されている。
【０００６】
従来技術として、特許文献１、２が知られている。
【０００７】
【特許文献１】特開平１０−２００８５７号公報
【特許文献２】特開平１０−２６２２１６号公報
【発明の開示】
【発明が解決しようとする課題】
【０００８】
ところで、データのビットレートが高ければ、画面の品位は高く、美しい画像になる。だが、圧縮処理のやり方によっては、高いビットレートでも画面が高品位にならない場合がある。すなわち、ビットレートは、画質の善し悪しの客観的な判断材料になり得る。
【０００９】
しかし、従来のディスク再生装置ではＤＶＤに記録されたデータのビットレートを検知することはできなかった。すなわち、視聴者は、どの程度映像データが圧縮されていたかを知ることができず、よって画像を客観的に判断することもできなかった。
【００１０】
本発明は、上述の実情に鑑みてなされたものであり、圧縮された映像データ等を再生する際に、その圧縮された映像データのビットレートをリアルタイムで検出する信号処理装置及び方法、信号処理プログラム、並びに記録媒体の提供を目的とする。
【課題を解決するための手段】
【００１１】
上述の課題を解決するために、本発明は、映像データと音声データからなる主情報と、該主情報の補助データを含む補助情報とを処理する際に、映像ビットレートの表示を制御することを特徴とする。
【００１２】
ここで、上記主情報及び上記補助情報を含む全体のビットレートから上記音声データのビットレートを減算したものを上記映像データのビットレートとして算出する算出手段をさらに備えることが好ましい。上記全体のビットレートの算出は、少なくとも所定の再生単位の再生時間と所定の再生単位のデータ量とから算出することが好ましい。あるいは、上記全体のビットレート及び上記音声データのビットレートは、上記補助情報を基に算出することが好ましい。
【発明の効果】
【００１３】
本発明によれば、映像データと音声データからなる主情報と、該主情報の補助データを含む補助情報とを処理する際に、映像ビットレートの表示を制御することにより、映像データのビットレートをリアルタイムで検出することができる。
【発明を実施するための最良の形態】
【００１４】
以下、本発明を適用した具体的な実施の形態となる信号再生装置について、ＭＰＥＧ２（Moving Picture Experts Group 2）方式によって信号圧縮された主映像圧縮データが記録されている記録媒体であるデジタルビデオディスク（以下、ＤＶＤという。）に適用して構成した再生装置（以下、ＤＶＤ再生装置という。）について、図面を参照しながら説明する。
【００１５】
ＤＶＤ再生装置は、主映像圧縮データを含む主情報とこの主情報の補助情報とが記録されているＤＶＤを再生する再生装置である。なお、主情報とは、上記主映像圧縮データ、副映像圧縮データ及び音声圧縮データとから構成されている。
【００１６】
ＤＶＤ再生装置は、図１に示すように、主映像圧縮データに関する補助情報が記録されている制御情報パック（以下、ナビゲーションパックという。）内の主情報のデータ量情報を基に主映像圧縮データのビットレートを求める映像ビットレート算出回路１５を備えている。そして、ＤＶＤ再生装置１００は、映像ビットレート算出回路１５で算出されたビットレートを表示制御する表示制御回路１４を備えている。
【００１７】
上記ＤＶＤ再生装置１００は、記録媒体１からＲＦ信号を再生するピックアップ２と、このピックアップ２により再生されたＲＦ信号が供給されこのＲＦ信号の２値化処理等を行うＲＦ回路３と、ＲＦ回路３からの再生データが供給されエラー訂正等のデコード処理をするデータデコーダ４と、データデコーダ４によりデコード処理がされた再生データを主映像圧縮データ，副映像圧縮データ，音声圧縮データ及び補助情報に振り分けるデマルチプレクサ５とを備える。
【００１８】
また、ＤＶＤ再生装置１００は、デマルチプレクサ５から出力された上記主映像圧縮データを伸長するビデオデコーダ６と、上記副映像圧縮データを伸長して主映像データと合成する副映像デコーダ７と、上記音声圧縮データを伸長するオーディオデコーダ８と、副映像デコーダ７からの副映像データと主映像データが合成された映像データが供給されＮＴＳＣ信号又はＰＡＬ信号に変換するデジタル／ＮＴＳＣ，ＰＡＬ変換回路（以下、単にＮＴＳＣ変換回路という。）９と、オーディオデコーダ８からのオーディオデータが供給されアナログ信号に変換するデジタル／アナログ変換回路（以下、単にＤ／Ａ変換回路という。）１０と、映像ビットレート算出回路１５で求められた主映像圧縮データのビットレートを表示制御する表示制御回路１６と、ＮＴＳＣ変換回路９から出力される映像に対して表示制御回路１６から出力される表示制御されたビットレートの表示を合成するためのＯＳＤ（On Screen Display）回路１４と、ＯＳＤ回路１４で合成処理等された映像を映すモニタ１７とを備える。
【００１９】
さらに、ＤＶＤ再生装置１００は、ピックアップ２，ＲＦ回路３，データデコーダ４，デマルチプレクサ５，ビデオデコーダ６，副映像デコーダ７，オーディオデコーダ８，ＮＴＳＣ変換回路９，Ｄ／Ａ変換回路１０，ＯＳＤ回路１４及び表示制御回路１６を制御するコントローラ１１と、このコントローラ１１とユーザーの操作入力を媒介するユーザーインターフェース１２と、コントローラ１１のデータ記憶部となるメモリ１３とを備える。
【００２０】
上記コントローラ１１には、記録媒体１より再生した主映像圧縮データのビットレートを算出する上述の映像ビットレート算出回路１５が備えられている。コントローラ１１は、映像ビットレート算出回路１５によって算出した主映像圧縮データのビットレートを表示制御回路１６に出力する。
【００２１】
なお、記録媒体１は、上述したようにＤＶＤであって、図７に示すように、映画の１作品等の単位とされて、Video Object Set（以下、ＶＯＢＳという。）で記録されている。
【００２２】
各ＶＯＢＳには、それを再生するためのControl DataであるVideo Title Set Information（以下、ＶＴＳＩという。）が付いている。それをＶＯＢＳの再生前に読み取っている。
【００２３】
ＶＯＢＳは、複数のVideo Object（以下、ＶＯＢという。）から構成されている。ＤＶＤは、例えば、１つの映画を複数のスト−リ−展開で見ることができるマルチスト−リ機能に対応してフォ−マット化しており、このような機能はＶＯＢごとで異なるスト−リ展開になる。そして、ＶＯＢは、複数のＣｅｌｌにより構成される。
【００２４】
Ｃｅｌｌは、例えば映画における１シ−ン等の単位となる。すなわち、この１シ−ン毎の組み合わせがＶＯＢとなり、この組み合わせの違いにより上記マルチスト−リ機能等を構成する。そして、Ｃｅｌｌは、複数のVideo Object Unit（以下、ＶＯＢＵという。）により構成される。
【００２５】
上記ＶＯＢＵは、複数の主映像圧縮データ、副映像圧縮データ及び音声圧縮データのグループから構成される。
【００２６】
主映像圧縮データは、映画の主映像となるデータであって、ＤＶＤフォーマットにおけるビデオストリームを構成する。また、副映像圧縮データは、字幕等のデータであって、ＤＶＤフォーマットにおけるサブピクチャーストリームを構成する。そして、音声圧縮データは、音声に関するデータであって、ＤＶＤフォーマットにおけるオーディオストリームを構成する。
【００２７】
なお、ＶＯＢＵ内の主映像圧縮データによって、ＭＰＥＧ２のフォーマットにおけるGroup of Pictures（以下、ＧＯＰという。）が構成される。ＧＯＰは、ＭＰＥＧ２方式におけるフレ−ム間予測の構造の単位であって、Ｉピクチャ、Ｐピクチャ、Ｂピクチャの３種類のフレームから構成され、例えば全１５フレ−ムで構成されている。
【００２８】
そして、ＶＯＢＵでは、主映像圧縮データを主映像パック（Ｖ＿ＰＣＫ）に、副映像圧縮データを副映像パック（ＳＰ＿ＰＣＫ）に、そして音声圧縮データを音声パック（Ａ＿ＰＣＫ）にそれぞれ収納している。各パックは、収納される各データに関する情報を有している。
【００２９】
また、ＶＯＢＵは、そのヘッダ部に上記主映像圧縮データ、副映像圧縮データ及び音声圧縮データの補助情報からなるナビゲーションパック（ＮＶ＿ＰＣＫ）を有している。
【００３０】
上記ナビゲーションパックは、図８（ａ）に示すように、ＶＯＢＵ内の再生制御情報が含まれるＰＣＩ（Presentation Control Information ）部と、ＶＯＢＵ内のデータサーチ情報が含まれるＤＳＩ（Data Search Information ）部とから構成されている。
【００３１】
このように構成されている記録媒体１を再生するＤＶＤ再生装置１００の各構成部について詳しく説明する。
【００３２】
ピックアップ２は、当該ピックアップ２に組み込まれているレーザ光源からのレーザ光を記録媒体１の信号記録面に照射して、信号記録面で反射された反射光を受光する。ピックアップ２は、受光した光に応じて再生したＲＦ信号をＲＦ回路３に供給する。
【００３３】
ＲＦ回路３は、このＲＦ信号の波形等化及び２値化等をしてディジタルデータとその同期信号等を生成する。このＲＦ回路３により生成されたディジタルデータ等は、データデコーダ４に供給される。
【００３４】
データデコーダ４は、ＲＦ回路３により生成されたディジタルデータに基づきデータの復調や誤り訂正等の処理を行う。データデコーダ４により復調等がされたディジタルデータは、デマルチプレクサ５に供給される。
【００３５】
また、このデータデコーダ４は、ディジタルデータの出力用にトラックバッファを設けている。このトラックバッファによりデータデコーダ４とデマルチプレクサ５との処理速度の違いが吸収される。
【００３６】
デマルチプレクサ５は、データデコーダ４によりエラー訂正のデコード処理等が施された記録媒体１から再生したディジタルデータを、各種パック、すなわち、主映像パック、副映像パック、音声パックに分割する。
【００３７】
デマルチプレクサ５は、主映像パックをビデオデコーダ６に供給し、副映像パックを副映像デコーダ７に供給し、音声パックをオーディオデコーダ８に供給する。
【００３８】
ビデオデコーダ６は、供給された主映像パック内の主映像圧縮データの復号処理を行い、この復号処理により伸長化された主映像データを生成する。このビデオデコーダ６は、復号処理を行うために３画面分の画像メモリを有している。すなわち、この３画面分の画像メモリを用いて、ＭＰＥＧ２のフォーマットにおける上記Ｉピクチャ，上記Ｐピクチャ及び上記Ｂピクチャをメモリ上に復号して、さらに、この復号された各ピクチャをメモリ上から出力する。ビデオデコーダ６は、生成した主映像データを副映像デコーダ７に供給する。
【００３９】
副映像デコーダ７は、供給された副映像パック内の副映像圧縮データの復号処理を行い、この復号処理をした副映像データをビデオデコーダ６から供給された主映像データに合成して、映像データを生成する。すなわち、副映像デコーダ７は、副映像データとして再生される字幕データ等を主映像データと合成する。なお、この副映像デコーダ７は、副映像データが無い場合には、主映像データをそのまま映像データとして出力する。副映像デコーダ７は、生成した映像データをＮＴＳＣ変換回路９に供給する。
【００４０】
ＮＴＳＣ変換回路９は、映像データをディジタルデータからＮＴＳＣやＰＡＬ等のテレビジョン信号に変換する。ＮＴＳＣ変換回路９からのテレビジョン信号は、ＯＳＤ回路１４を介してモニタ１７に映像として映し出される。
【００４１】
オーディオデコーダ８は、音声パック内の音声圧縮データの復号処理を行い、伸長した音声データを生成する。すなわち、オーディオデコーダ８は、音声データがＭＰＥＧ２方式によって圧縮されていれば、これに対応した伸長処理をして、音声圧縮データを生成する。また、オーディオデコーダ８は、ＭＰＥＧ２のフォーマットの他に、リニアＰＣＭ又はドルビーＡＣ３のフォーマットであれば、これに対応した処理を行う。オーディオデコーダ８は、生成した音声データをＤ／Ａ変換回路１０に供給する。
【００４２】
Ｄ／Ａ変換回路１０は、ディジタルデータである音声データをアナログの音声データに変換して出力する。この出力をスピーカ等に供給することにより、ユーザーが記録媒体１から再生した映像を視聴することができる。
【００４３】
コントローラ１１は、ピックアップ２，ＲＦ回路３，データデコーダ４，デマルチプレクサ５，ビデオデコーダ６，副映像デコーダ７，オーディオデコーダ８，ＮＴＳＣ変換回路９，Ｄ／Ａ変換回路１０，ＯＳＤ回路１４及び表示制御回路１６の制御を行う。
【００４４】
また、このコントローラ１１には、操作パネルやリモートコントローラであるユーザーインターフェース１２を介して操作入力がされ、この操作入力に基づき各回路の制御を行う。
【００４５】
上記コントローラ１１は、映像ビットレート算出回路１５によって、ナビゲーションパック内の主情報、すなわちＶＯＢＵ内の主映像圧縮データ、副映像圧縮データ及び音声圧縮データ、のデータ量情報を基に主映像圧縮データのビットレートを求める。
【００４６】
映像ビットレート算出回路１５によるビットレートの算出は、図２に示すようなフローチャートに従って行う。先ずステップＳ１に示すように、映像ビットレート算出回路１５は、トータルビットレート（Ｔ＿ＢＲ）、すなわちＶＯＢＵ内の主映像圧縮データ、副映像圧縮データ及び音声圧縮データの合計ビットレート、を求める。
【００４７】
次に、映像ビットレート算出回路１５は、ステップＳ２に示すように、オーディオビットレート（Ａ＿ＢＲ）、すなわち音声圧縮データのビットレート、を求める。
【００４８】
そして、映像ビットレート算出回路１５は、ステップＳ３に示すように、映像ビットレート、すなわち主映像圧縮データのビットレート、を求める。ここでは、上記ステップＳ１において算出したトータルビットレート（Ｔ＿ＢＲ）からステップＳ２において算出したオーディオビットレートを減算して、映像ビットレート（Ｖ＿ＢＲ）を算出している。
【００４９】
これは、本実施の形態では、副映像圧縮データのビットレート（ＳＰ＿ＢＲ）を、上記映像ビットレート（Ｖ＿ＢＲ）及び上記オーディオビットレート（Ａ＿ＢＲ）と比較して十分小さいため、０として扱っているからである。
【００５０】
すなわち、本来であれば、（１）式のようにして、映像ビットレート（Ｖ＿ＢＲ）を求める。
【００５１】
Ｖ＿ＢＲ＝Ｔ＿ＢＲ−ＳＰ＿ＢＲ−Ａ＿ＢＲ ・・・（１）
しかし、ＳＰ＿ＢＲ≒０としているので、（２）式のように近似値としての映像ビットレート（Ｖ＿ＢＲ）が算出される。
【００５２】
Ｖ＿ＢＲ≒Ｔ＿ＢＲ−Ａ＿ＢＲ ・・・（２）
以下に、上記ステップＳ１及びステップＳ２で行われるトータルビットレートの算出及びオーディオビットレートの算出について説明する。
【００５３】
上記映像ビットレート算出回路１５は、図３に示すようなフローチャートに従ってトータルビットレートを算出する。
【００５４】
先ず映像ビットレート算出回路１５は、ステップＳ１１に示すように、ＶＯＢＵ内のトータルビット数を求める。トータルのビット数は、図８（ｂ）及び図８（ｃ）に示すように、ナビゲーションパックの上記ＤＳＩに関する情報が記録されているＤＳＩ＿ＧＩ（Data Search Information General Information）を参照し、ＤＳＩ＿ＧＩに記録されているＶＯＢＵのエンドアドレスを示すＶＯＢＵ＿ＥＡをもとに求められる。
【００５５】
上記ＶＯＢＵ＿ＥＡは、ＶＯＢＵのセクタ数を示すものである。なお、１セクタは、２０４８バイト（２０４８×８ビット）である。よって、映像トータルビットレート算出回路１５は、（３）式によりトータルビット数（Ｍ）を算出する。
【００５６】
Ｍ（ビット）＝２０４８×８×ＶＯＢＵ＿ＥＡ ・・・（３）
そして、映像ビットレート算出回路１５は、ステップＳ１２に示すように、ＶＯＢＵの再生時間（ＰＴＭ）を算出する。再生時間は、図９（ａ）乃至図９（ｃ）に示すように、ナビゲーションパックの上記ＰＣＩに関する情報が記録されるＰＣＩ＿ＧＩ（Presentation Control Information General Information）を参照し、ＰＣＩ＿ＧＩ内に記録されているＶＯＢＵの再生開始時間を示すＶＯＢＵ＿Ｓ＿ＰＴＭとＶＯＢＵの再生終了時間を示すＶＯＢＵ＿Ｅ＿ＰＴＭとをもとに求められる。
【００５７】
すなわち、映像ビットレート算出回路１５は、（４）式よりＶＯＢＵの再生時間（ＰＴＭ）を算出することができる。
【００５８】
ＰＴＭ（秒）＝（ＶＯＢＵ＿Ｅ＿ＰＴＭ −ＶＯＢＵ＿Ｓ＿ＰＴＭ）／９００００ ・・・（４）
なお、（４）式中の数値９００００は、再生時間（ＰＴＭ）を秒とするための係数である。
【００５９】
そして、映像ビットレート算出回路１５は、ステップＳ１３に示すように、トータルビットレート（Ｔ＿ＢＲ）を算出する。すなわち、映像ビットレート算出回路１５は、（５）式のように、トータルビット数（Ｍ）を再生時間（ＰＴＭ）で割ってトータルビットレート（Ｔ＿ＢＲ）を算出する。
【００６０】
Ｔ＿ＢＲ（ｂｐｓ）＝Ｍ／ＰＴＭ ・・・（５）
以上が図２のステップＳ１においてトータルビットレート（Ｔ＿ＢＲ）を算出する過程である。
【００６１】
次に図２のステップＳ２においてオーディオビットレートを算出する過程について説明する。映像ビットレート算出回路１５は、図４に示すようなフローチャートに従ってオーディオビットレート（Ａ＿ＢＲ）を求める。
【００６２】
先ず、映像ビットレート算出回路１５は、ステップＳ２１に示すように、ＶＯＢＵ内のオーディオストリームの本数を求める。オーディオストリームの本数は、ＶＴＳＩに記録されているオーディオストリームの本数の情報を示すＶＴＳ＿ＡＳＴ＿Ｎｓを参照して得る。例えば、映像ビットレート算出回路１５は、ＶＴＳ＿ＡＳＴ＿Ｎｓを参照して、リニアＰＣＭとドルビーＡＣ３とが各１本入っているという情報を得たとする。
【００６３】
次に、ステップＳ２２に示すように、前ステップＳ２１で得たオーディオストリームについてのその種類、すなわちリニアＰＣＭ及びドルビーＡＣ３の種類、を得る。オーディオストリームの種類は、ＶＴＳＩに記録されているオーディオストリーム種類の情報を示すＶＴＳ＿ＡＳＴ＿ＡＴＲＴを参照して得る。
【００６４】
ところで、リニアＰＣＭは、量子化ビット数が１６ビット，２０ビット及び２４ビットの３種類、サンプリング周波数が４８ｋＨｚ及び９６ｋＨｚの２種類の組み合わせの何れかで構成される。例えば、映像ビットレート算出回路１５は、リニアＰＣＭの量子化ビットが１６ビット、サンプリング周波数が４８ｋＨｚという情報を上記ＶＴＳ＿ＡＳＴ＿ＡＴＲＴより得たとする。
【００６５】
上記ドルビーＡＣ３のビットレートも何種類か有り、これは、デマルチプレクサ５を通るストリーム中から抜き出された再生情報を映像ビットレート算出回路１５に与えることによって得られる。
【００６６】
そして、前ステップＳ２１及びステップＳ２２において得た結果をもとに、ステップＳ２３において、映像ビットレート算出回路１５は、オーディオビットレートを得る。すなわち、量子化ビット数１６ビット、サンプリング周波数４８ｋＨｚより算出したリニアＰＣＭのビットレート数１５３６ｋｂｐｓ（＝１６×４８０００×２）に例えば３８４ｋｂｐｓとされるドルビーＡＣ３のビットレートを加算してオーディオビットレートを得る。つまり、オーディオビットレート（Ａ＿ＢＲ）は、（６）式より算出される。
【００６７】
Ａ＿ＢＲ（ｋｂｐｓ）＝１５３６＋３８４ ＝１９２０    ・・・（６）
以上のようにして求めたトータルビットレート（Ｔ＿ＢＲ）とオーディオビットレート（Ａ＿ＢＲ）とを基に映像ビットレート（Ｖ＿ＢＲ）を算出する。すなわち、上記（２）式に上記トータルビットレート（Ｔ＿ＢＲ）と上記オーディオビットレート（Ａ＿ＢＲ）の値を代入して、映像ビットレート（Ｖ＿ＢＲ）を算出する。
【００６８】
例えば、上記（５）式より算出したトータルビットレート（Ｔ＿ＢＲ）が８Ｍｂｐｓとした場合、上記（２）式にそれぞれ値を代入して、
Ｖ＿ＢＲ（Ｍｂｐｓ）≒Ｔ＿ＢＲ−Ａ＿ＢＲ＝８−１．９２＝６．０８
といった映像ビットレート（Ｖ＿ＢＲ）の算出結果を得ることができる。
【００６９】
以上のようにして、上記コントローラ１１は、映像ビットレート算出回路１５によって、主映像圧縮データのビットレートを算出することができる。
【００７０】
コントローラ１１は、映像ビットレート算出回路１５によって算出した映像ビットレートを表示制御回路１６に出力する。
【００７１】
表示制御回路１６は、入力された映像ビットレートを表示制御する。表示制御回路１６は、映像ビットレートを、例えば図５に示すようにモニタ１７にレベルメータの画像を表示するために、画像信号に変換するための表示制御をする。表示制御回路１６は、表示制御した映像ビットレートの画像をＯＳＤ回路１４に供給する。
【００７２】
ＯＳＤ回路１４は、上記ＮＴＳＣ変換回路９より供給されたテレビジョン信号と上記表示制御回路１６より供給された映像ビットレートの画像信号を合成させて、モニタ１７に当該合成した映像信号を供給する。モニタ１７は、ＯＳＤ回路１４から供給された映像信号をもとに、例えば図６に示すように、映像にスーパーインポーズさせたビットレートをレベルメータ表示する。
【００７３】
このようにＤＶＤ再生装置１００は、コントローラ１１の映像ビットレート算出回路１５によって算出した映像圧縮データのビットレートをモニタ１７に表示することができる。
【００７４】
そして、ＤＶＤ再生装置１００は、デコード処理した映像にズーパーインポーズさせて、上記当該デコード処理した映像に係る映像圧縮データのビットレートを表示させることができる。よって、視聴者は、ＤＶＤ再生装置１００によって、リアルタイムで、客観的に、その瞬間の映像のビットレートを把握できるようになる。
【００７５】
なお、ＤＶＤ再生装置１００は、音声圧縮データのストリームの本数及び種類が上述の本数及び種類であることに限定されず、他の本数及び種類であっても、映像ビットレートを算出することができる。さらに、ＤＶＤ再生装置１００は、主情報が上述の映像副データ及び音声データの他にも他のデータが含まれている場合、それらを勘案して映像ビットレートを算出することもできる。
【００７６】
また、ＤＶＤ再生装置１００は、主映像圧縮データのビットレートを表示する表示部を当該ＤＶＤ再生装置１００に備えることもできる。これにより、視聴者は、ＤＶＤ再生装置１００の備えた上記表示部によっても主映像圧縮データのビットレートを確認することができる。
【００７７】
以上説明したような本発明の実施の形態となる信号再生装置は、映像圧縮データを含む主情報とこの主情報の補助データを含む補助情報とが記録された信号記録媒体を再生する信号再生装置において、上記補助情報内の上記主情報のデータ量情報を基に上記映像圧縮データのビットレートを求める映像ビットレート検出手段を備えることを特徴としている。ここで、上記映像ビットレートの表示を制御する表示制御手段を備えることが好ましい。また、上記補助情報と音声データを含む上記主情報とは再生単位毎にグループ化されており、上記映像ビットレート検出手段は、上記補助情報を基に得た上記主情報のビットレートから上記補助情報を基に得た上記音声データのビットレートを減算して上記再生単位毎のグループ内における上記映像圧縮データの上記映像ビットレートを算出することが好ましい。
【００７８】
従って、本発明の実施の形態となる信号再生装置は、補助情報内の主情報のデータ量情報を基に映像圧縮データのビットレートを求める映像ビットレート検出手段を備えることで、その圧縮された映像データのビットレートをリアルタイムで検出することができる。そして、ビットレートを映像にスーパーインポーズさせることで、客観的に映像の善し悪しを判断できるようになる。
【００７９】
また、本発明の実施の形態となる信号再生方法は、 映像圧縮データを含む主情報とこの主情報の補助データを含む補助情報とが記録された信号記録媒体を再生する信号再生方法において、上記補助情報内の上記主情報のデータ量情報を基に上記映像圧縮データのビットレートを求めることを特徴としている。ここで、上記映像ビットレートの表示を制御する表示制御手段を備えることが好ましい。また、上記補助情報と音声データを含む上記主情報とは再生単位毎にグループ化されており、上記補助情報を基に得た上記主情報のビットレートから上記補助情報を基に得た上記音声データのビットレートを減算して上記再生単位毎のグループ内における上記映像圧縮データの上記映像ビットレートを算出することが好ましい。
【００８０】
このような本発明の実施の形態の信号再生方法によれば、補助情報内の主情報のデータ量情報を基に映像圧縮データのビットレートを求めるているために、その圧縮された映像データのビットレートをリアルタイムで検出することができる。そして、ビットレートを映像にスーパーインポーズさせることで、客観的に映像の善し悪しを判断できるようになる。
【００８１】
なお、本発明は上述した実施の形態のみに限定されるものではなく、本発明の要旨を逸脱しない範囲において種々の変更が可能であることは勿論である。
【図面の簡単な説明】
【００８２】
【図１】本発明に係る実施の形態となるＤＶＤ再生装置の回路構成図である。
【図２】上記ＤＶＤ再生装置が映像ビットレートを求める手順を示すフローチャートである。
【図３】上記ＤＶＤ再生装置が映像ビットレートを求める過程で主映像のビットレートを算出する手順を示すフローチャートである。
【図４】上記ＤＶＤ再生装置が映像ビットレートを求める過程で音声圧縮データのビットレートを算出する手順を示すフローチャートである。
【図５】上記ＤＶＤ再生装置がモニタにビットレートを表示している様子を示す図である。
【図６】上記ＤＶＤ再生装置がモニタにおいて映像にスーパーインポーズさせてビットレートを表示している様子を示す図である。
【図７】上記ＤＶＤ再生装置によって再生されるＤＶＤのデータフォーマットである。
【図８】上記ＤＶＤのナビゲーションパック内に記録されているＰＣＩ＿ＧＩの情報のデータフォーマットである。
【図９】上記ＤＶＤのナビゲーションパック内に記録されているＤＳＩ＿ＧＩの情報のデータフォーマットである。
【符号の説明】
【００８３】
１５  映像ビットレート算出回路、  １００  ＤＶＤ再生装置
【図１】
2006238463.tif 000003
【図２】
2006238463.tif 000004
【図３】
2006238463.tif 000005
【図４】
2006238463.tif 000006
【図５】
2006238463.tif 000007
【図６】
2006238463.tif 000008
【図７】
2006238463.tif 000009
【図８】
2006238463.tif 000010
【図９】
2006238463.tif 000011